(57)【要約】【課題】フイルタ自動掃除機能を有する空気調和機の組み立てを簡単にする。【解決手段】後板３と前面カバー４とオープンパネル５とを備えた枠体６を有し、枠体の上面に吸込口７と、枠体の底面に吹出口８と、吸込口と吹出口を連通し、吸込口から吸い込んだ室内空気を吹出口から送風する送風経路と、送風経路の吸込口内面側に沿って設けたフイルタ１０と、フイルタと吹出口の間の送風経路に備えた熱交換１１器とを有する空気調和機に於いて、駆動歯車３０と送りモータ４２、第１伝達手段４８、ブラシモータ４５、第２伝達手段４７とでモータユニット４０を形成し、このモータユニットは背面板と後板と前面カバーによって挟持して固定することで、室内機へのモータユニットの組付け作業を容易にすることで、製造コストの上昇を少なくすることができる。【選択図】図１８
2018151107.tif 000002
【特許請求の範囲】
【請求項１】
後板と前面カバーとオープンパネルとを備えた枠体を有し、
前記枠体の上面に吸込口と、
前記枠体の底面に吹出口と、
前記吸込口と吹出口を連通し、前記吸込口から吸い込んだ室内空気を吹出口から送風する送風経路と、
前記送風経路の吸込口内面側に沿って設けたフイルタと、
前記フイルタと吹出口の間の送風経路に備えた熱交換器と、
前記後板の背面側に設けたフイルタ案内板と、
前記後板の上部に設けたフイルタ掃除手段と、
前記フイルタ案内板の後方に背面板と、を備え、
前記後板とフィルタ案内板との間に第１空間を有し、
前記フイルタ案内板と背面板の間に第２空間を有し、
前記フイルタ掃除手段は、前記フィルタを第１空間へ送ってフイルタに付着したゴミを除去し、
前記第２空間は、前記フィルタ掃除手段にて除去したゴミを下部に落下して集積するダストシュータで構成し、
前記フイルタの左右端部にはラックを有し、
前記フイルタ掃除手段は、
前記ラックに係合してフイルタを空間側へ送る駆動歯車と、
前記駆動歯車を回転するための送りモータと、
前記送りモータの回転を駆動歯車へ伝達する第１伝達手段と、
前記フイルタの表面に付着したゴミを取り除くブラシと、
前記ブラシを回転するためのブラシモータと、
前記ブラシモータの回転をブラシへ伝達する第２伝達手段と、
前記ブラシに付着したゴミをダストシュータ側へ掻き落とすクシ歯部と、で構成し、
モータ取付板に前記送りモータと第１伝達手段、ブラシモータ、第２伝達手段を取り付けてモータユニットを形成し、
前記モータユニットは背面板と後板と前面カバーによって挟持して固定することを特徴とする空気調和機。
【請求項２】
前記背面板には前記モータユニットをのせる第１固定部を有し、
前記後板には前記第１固定部と連なって前記モータユニットをのせる第２固定部を有し、
前記前面カバーには前記モータユニット上方を押さえる第３固定部を有し、
前記モータユニットを前記第１固定部と第２固定部と第３固定部で挟持して固定することを特徴とする請求項１に記載の空気調和機。
【請求項３】
前記モータ取付板の側面に当接し、前記第１固定部から第２固定部へ連なって立設したビードを第１固定部と第２固定部に備えることを特徴とする請求項２に記載の空気調和機。
【請求項４】
前記第２固定部の一部を上方に傾斜して設けることを特徴とする請求項２または３に記載の空気調和機。
【発明の詳細な説明】
【技術分野】
【０００１】
この発明は、空気調和機に関するもので、特にエアフィルタの自動清掃機能を供えた空気調和機に関するものである。
【背景技術】
【０００２】
従来、空気調和機に於いては、送風ファンにより吸い込んだ室内空気を、熱交換器に通過させることにより冷却または加熱して室内へと返流させるが、空気中に浮遊する塵埃が熱交換器を汚染するのを防止するため、熱交換器の前面側にエアフィルタが設けられている。このフィルタに塵埃が付着して目詰まりが生じ通風抵抗が増大すると、熱交換が妨げられるために空気調和機の空調能力が低下すると共に、消費電力が増大する。このような不都合を解消するため、フィルタの自動清掃機能を供えた空気調和機が種々提案されている。
【０００３】
フィルタを自動的に清掃する場合、フィルタの全面を清掃ブラシで掃除するため、フィルタと清掃ブラシとの少なくともいずれか一方を移動させる必要がある。
フィルタを移動させる方式では、外枠の上面や前面に吸込口を備え、この吸込口の内面側に沿って配された板状のフィルターと、このフィルターを移動させる移動経路と、この移動経路の途中に配され前記フィルターを清掃する清掃手段と、前記移動経路内のフィルタを移動させる移送手段とを備え、前記移動経路は吸込口の内面側に沿って形成されると共に、内部に配置される熱交換器との間の前方側空間部でＵ字状に折り返して形成され、更に、フィルタを通常使用位置に保持する通常ガイド部と、この通常ガイド部の一端部に連なると共に、湾曲部に対向して接触する回転ブラシと、このブラシで掻き取ったゴミを蓄えるダストボックスとを備え、前記フィルタを移動させることによって、通常ガイド部の一端部に位置するフィルタの先端部が、通常ガイド部から湾曲部でＵ字状に折返されて前記ブラシによって自動清掃を行うものがある。（例えば、特許文献１参照）
【０００４】
また、清掃手段（清掃ブラシやダストボックス等）とフィルタ移送手段（フィルタ巻き取り装置等）を外枠内の上部後方でフィルタの先端部分に設けて、フィルタ先端を巻き取りながらブラシによって自動清掃を行うものがある。（例えば、特許文献２参照）
【先行技術文献】
【特許文献】
【０００５】
【特許文献１】特許４１７５４０９号公報
【特許文献２】特開２００２−５５０４号公報
【発明の概要】
【発明が解決しようとする課題】
【０００６】
これら従来例の空気調和機では、ダストボックスの容積が小さいためにフイルタ清掃で掻き取ったゴミを貯留する能力も小さいものであり、ダストボックスの容積を拡大するために、ダストボックスの設置スペースを大きく設ければ、空気調和機の全体寸法が大きくなり製造コストの上昇や、美観も損ねる懸念が有る。
また、フィルターの清掃手段は構造が複雑であるために部品点数も多く、組み立て費用を含めた製造コストが上昇する問題が有る。
【課題を解決するための手段】
【０００７】
上記課題を解決するために、特にその構成を、後板と前面カバーとオープンパネルとを備えた枠体を有し、前記枠体の上面に吸込口と、前記枠体の底面に吹出口と、前記吸込口と吹出口を連通し、前記吸込口から吸い込んだ室内空気を吹出口から送風する送風経路と、前記送風経路の吸込口内面側に沿って設けたフイルタと、前記フイルタと吹出口の間の送風経路に備えた熱交換器と、前記後板の背面側に設けたフイルタ案内板と、前記後板の上部に設けたフイルタ掃除手段と、前記フイルタ案内板の後方に背面板と、を備え、前記後板とフィルタ案内板との間に第１空間を有し、前記フイルタ案内板と背面板の間に第２空間を有し、前記フイルタ掃除手段は、前記フィルタを第１空間へ送ってフイルタに付着したゴミを除去し、前記第２空間は、前記フィルタ掃除手段にて除去したゴミを下部に落下して集積するダストシュータで構成し、前記フイルタの左右端部にはラックを有し、前記フイルタ掃除手段は、前記ラックに係合してフイルタを空間側へ送る駆動歯車と、前記駆動歯車を回転するための送りモータと、前記送りモータの回転を駆動歯車へ伝達する第１伝達手段と、前記フイルタの表面に付着したゴミを取り除くブラシと、前記ブラシを回転するためのブラシモータと、前記ブラシモータの回転をブラシへ伝達する第２伝達手段と、前記ブラシに付着したゴミをダストシュータ側へ掻き落とすクシ歯部と、で構成し、モータ取付板に前記送りモータと第１伝達手段、ブラシモータ、第２伝達手段を取り付けてモータユニットを形成し、前記モータユニットは背面板と後板と前面カバーによって挟持して固定するようにした。
【発明の効果】
【０００８】
この発明によれば、駆動歯車と送りモータ、第１伝達手段、ブラシモータ、第２伝達手段とでモータユニットを形成し、このモータユニットは背面板と後板と前面カバーによって挟持して固定することで、室内機へのモータユニットの組付け作業を容易にすることで、製造コストの上昇を少なくすることができる。
【図面の簡単な説明】
【０００９】
【図１】この発明一実施例の斜視図。
【図２】同断面図。
【図３】同展開斜視図。
【図４】同ユニット枠の平面図。
【図５】同ユニット枠の右側面図。
【図６】同図４に示すＡ−Ａ断面図。
【図７】同ブラシの正面図。
【図８】同フィルタ駆動部の正面図。
【図９】同モータユニットの展開斜視図。
【図１０】同背面板の正面図。
【図１１】同図１０に示すＢ−Ｂ断面図。
【図１２】同フィルタ案内板の正面図。
【図１３】同図１２に示すＣ−Ｃ断面図。
【図１４】同後板の斜視図。
【図１５】同図１４に示すＤ−Ｄ断面図。
【図１６】同前面カバーの部分斜視図。
【図１７】同前面カバーの断面図。
【図１８】同要部の断面図。
【図１９】同フィルタの正面図。
【図２０】同制御回路の略図。
【発明を実施するための形態】
【００１０】
次に、この発明の空気調和機の実施の形態について、図面を基に説明する。１はセパレート式空気調和機の室内機で、背面板２と後板３と前面カバー４とオープンパネル５で外枠６を形成し、前記前面カバー４の前面に位置する前記オープンパネル５上部左右に設けた支軸（図示せず）を支点として前面カバー４の前方へ開閉自在に取付られる。
【００１１】
前記前面カバー４の上面には横長格子状の吸込口７を備え、前面カバー４の下方から底面には斜め前方に温度調節された空気を吹き出す横長の吹出口８を設け、吸込口７から吹出口８の間に送風経路９を形成している。この送風経路９の前記吸込口７内側には、吸込空気内に混在するゴミを取り除く左右一対のエアーフィルタ１０を有し、このエアーフィルタ１０の更に内側（下流側）には、横長のフィンチューブ式の熱交換器１１を有し、その前後方向の中間部を頂部として側面視で逆Ｖ字状に配置されている。また前記熱交換器１１の下方には横長のクロスフローファンから成る送風ファン１２を、前記吹出口８には運転時に上下方向の吹出風の風向を調整すると共に、停止時には自動的に吹出口８を閉じる上下風向板１３と左右方向の吹出風の風向を調整する左右風向板１４を有している。
【００１２】
１５はブラシユニットで、横長格子状の縦枠１６と横枠１７で前記吸込口７を形成するユニット枠１８の先端にエアーフィルタ１０の掃除を自動で実施するためのブラシ１９と、エアーフィルタ１０を背面側に移動させるフィルタ駆動部２０を有している。また、前記ユニット枠１８は後ろ側の両端に突出する左右端部２１を有し、この左右端部２１にそれぞれブラシ取付孔２２を形成し、このブラシ取付孔２２にブラシ１９の回転軸２３を挿入することでブラシ１９はブラシ取付孔２２を中心に回転する。また、前記左右端部２１のブラシ取付孔２２よりも前方で左右外側には一対のスライド突起２４を有し、ブラシユニット１５着脱時のガイドとして使用する。また、縦枠１６の前端外側には左右一対の係止突起２５を有し、ブラシユニット１５装着時のストッパとして使用する。また前記縦枠１６のスライド突起２４よりも更に前方にはフィルタ駆動部取付孔２６を備えている。また、左右の縦枠１６の内側面にはエアーフィルタ１０が移動する際にガイドの役目をするスライド溝２７を備えている。また、前記ブラシ１９の両端にはブラシ１９の回転力を伝えるブラシ歯車２８を有している。
【００１３】
前記フィルタ駆動部２０はアルミニューム製の棒から成る駆動軸２９と、この駆動軸２９の両端に貫通固定した一対の駆動歯車３０を有する。また駆動歯車３０よりも外側に駆動軸２９が突出してフィルタ駆動部取付孔２６に挿入することでフィルタ駆動部２０はフィルタ駆動部取付孔２６を中心に回転する。
【００１４】
４０はモータユニットで前記ブラシ１９の駆動源となるブラシモータ４１と、フィルタ駆動部２０の駆動源となる送りモータ４２を有している。このブラシモータ４１と送りモータ４２は正逆回転可能なステップモータを使用し、制御部４３からの信号に応じてブラシ１９とフィルタ駆動部２０を作動してフイルタの自動掃除を行う。
【００１５】
４４はモータ取付板で、前記エアーフィルタ１０に接しない面にブラシモータ４１と送りモータ４２をネジ止めする。前記ブラシモータ４１にはブラシモータ軸４５を、
前記送りモータ４２には送りモータ軸４６を有している。また、前記モータ取付板４４のエアーフィルタ１０に対向する面に、ブラシモータ４１の回転をブラシ１９へ伝達する連動ギア４７（第２伝達手段）と、送りモータ４２の回転を駆動歯車３０へ伝達する連動ギア４８（第１伝達手段）を備え、モータ取付板４４に形成した貫通孔４９・５０で貫通して接続する。前記連動ギア４７・４８はそれぞれ多数の歯車や軸が組み合わされることで、各モータ４１・４２の回転速度やトルクを適宜に調整して、ブラシ１９や駆動歯車３０へ回転を伝達する。５１はギアカバーで、前記連動ギア４７・４８を覆うと共に軸孔５２・５３を備え、前記貫通孔４９・５０と軸孔５２・５３の間に連動ギア４７・４８を回動自在に保持する。また、ギアカバー５１はモータ取付板４４の端部に設けた爪部５４と係止部５５で係止してモータ取付板４４に取り付ける。
【００１６】
また、前記モータ取付板４４は背面板２や後板３に接する底部５６と、この底部５６から上方に直立する壁部５７を有し、この壁部５７の上端やギアカバー５１には、前記前面カバー４と接する上当接部５８を備えている。また、前記底部５６に連なる背面には背面板２と接する背面当接部５９を、前記底部５６に連なる前方には後板３と傾斜して接する前部当接部６０を有している。また、モータユニット４０は１つのエアーフィルタ１０に対して１セット備えられ、先に説明した室内機１の左側に配置されたエアーフィルタ１０に対応するモータユニット４０を左モータユニット４０Ｌとし、この左モータユニット４０Ｌと左右対称形の構成を備え、室内機１の右側に配置されたエアーフィルタ１０に対応する右モータユニット４０Ｒを有している。
【００１７】
前記背面板２は室内機１の最後部を構成し、背面上部には室内の壁面に取り付けるための据付板（図示せず）に係止する係止凹部６１と、背面下部には据付板に爪引っ掛けで固定するための係止部６２を有している。また、背面板２の前面側には前記ブラシユニット１５とモータユニット４０側から落下してくるゴミを下方に送るダストシュータ６３（第２空間）の後面６４を備え、この後面６４から前方側に垂直に立設する複数の側壁６５を有している。
【００１８】
前記背面板２の左側外枠６６と前記側壁６５の間の上方部分に水平に台座６７（第１固定部）を形成し、この台座６７に２本の平行な第１ビード６８と、前記後面６４側には第１ビード６８から連続する第２ビード６９を有している。また、前記側壁６５の左側上部と背面板２の左側外枠６６と後面６４と台座６７との間に、前記左モータユニット４０Lが取り付けられる空間としての左モータユニット取付部７０を有している。また、右端の側壁６５の右側上部で右側中枠７１との間には、前記左モータユニット取付部７０と同様に台座６７が備えられ、第１ビード６８、第２ビード６９が形成された右モータユニット取付部７２を有している。７３は前記外枠６の右側外枠。また、前記後面６４の中央稍上部には４つの円柱が立設されたフィルタ案内板７４を固定する固定用円柱７５を有している。
【００１９】
前記フィルタ案内板７４の中央稍上部には前記固定用円柱７５に対向して固定孔７６が左右一対備えられ、フィルタ案内板７４を背面板２にネジ止め固定する。また、フィルタ案内板７４の背面は前記ダストシュータ６３（第２空間）の前面７７を形成し、この前面７７と後面６４の間をゴミが落下する。
【００２０】
８３は前記フィルタ案内板７４の上端に平行に備えたクシ歯部で、クシ歯部８３の先端がブラシ１９に食い込んで、ブラシ１９で掻き取ったエアーフィルタ１０のゴミをブラシ１９から分離してダストシュータ６３側へ落とすようにはたらく。クシ歯部８３は先端をブラシ１９の回転軸２３の方向に向かって突出し、ブラシ１９の毛量や剛性に応じてブラシ１９の食い込み量を、ブラシ１９とクシ歯部８３の距離を可変して調整できる。８４は前記フィルタ案内板７４の左右端に後板３方向に突出して備えた側板で、フイルタ清掃の際にエアーフィルタ１０の左右端がスライドする案内溝８５を有している。また、フイルタ清掃の際には後板３とフィルタ案内板７４の間の空間であるフィルタ経路８６（第１空間）内をフィルタ１０が上下方向に摺動する。８７は後板３上面の左右に備えた一対の前面カバー取付片で、先端部には上方向に係止用の突起８８を有してる。
【００２１】
前記後板３の上部にはブラシユニット１５やモータユニット４０を取り付ける開口部８９を有している。９０は後部ドレンパンで、上方に前記熱交換器１１の後部が配置され、冷房運転時には熱交換器１１後部から発生する結露水を集積排水する。９１はケーシングで、前方には所定の空間を隔てて前記送風ファン１２を備えている。送風ファン１２は横長円柱状で多数の羽根を有するクロスフロー型のファンで、ケーシング９１の左側面９２に取り付ける軸受け（図示せず）と、ケーシング９１の右側面９３の右側に取り付けられる送風モータ９４の回動軸９５との間で垂直方向に回転する。９６は左右端部と中央の上下等に備える取付孔で、背面板２に立設した取付リブ９７等に取付孔９６を貫通してネジ止め固定する。９８は前記背面板２の台座６７から水平に連続する前台座（第２固定部）で、上面には背面板２の第１ビード６８から連なる第３ビード９９を備え、更に前台座９８の前方部分を傾斜部１００にて上方に約４５度傾斜する。これによって、モータ取付板４４の底部５６、背面当接部５９、前部当接部６０を、前記後板３の傾斜部１００と前台座９８、および背面板２の台座６７とそれぞれに備える第１ビード６８、第２ビード６９、第３ビード９９で囲まれる空間にモータユニット４０を極めて簡単にスライドしてセットすることができる様に形成される。
【００２２】
１０１は前部ドレンパンで、上方に前記熱交換器１１の前部が配置され、冷房運転時には熱交換器１１前部から発生する結露水を集積排水する。また、前部ドレンパン１０１の左右端には取付脚（図示せず）を備え、この取付脚を後板３に嵌め込んで取り付けられる。１０２はダストボックスで、後板３の底面で前記ダストシュータ６３の下部に備えるゴミ排出口１０３に下方から着脱自在に取り付ける。エアーフィルタ１０の自動掃除で発生したゴミを数ヶ月から１年の間蓄えることのできる充分な容積を備えている。１０４は後板３下部の左右端に一対設けた前面カバー取付孔で、前面カバー４の下部をネジ止め固定する。１０５は後板３の左側外枠で、前記背面板２の左側外枠６６に連なって略同一な面を形成する。１０６は後板３の右側外枠で、前記背面板２の右側外枠７３に連なって略同一な面を形成する。
【００２３】
前記前面カバー４は左側板１１０と右側板１１１の間の上面を繋ぐ上フレーム１１２と、底面を繋ぐ下フレーム１１３と、前面中央より稍下方を繋ぐ前フレーム１１４と、左右方向の略中央で上フレーム１１２と前フレーム１１４を垂直に接続する中央フレーム１１５とを備えている。左側板１１０と中央フレーム１１５の上部内側には、
前記ブラシユニット１５のスライド突起２４を案内する溝１１６と、この溝１１６の前方に係止部１１７とを有し、この溝１１６によってブラシユニット１５のスライド突起２４を案内し、ブラシユニット１５が最後部に突き当たった状態で、ブラシユニット１５の係止突起２５が係止部１１７に嵌り込み、ブラシユニット１５をセットすることができる。
【００２４】
１１８は前記溝１１６の下方に備えたフィルタ溝で、ブラシユニット１５のスライド溝２７に連続して接続され、前記エアーフィルタ１０の左右端部を保持する。フィルタ溝１１８の下端にはフィルタ挿入部１１９を備え、方形状で柔軟性を有するエアーフィルタ１０をフィルタ挿入部１１９からフィルタ１０の先端がブラシ１９とフィルタ駆動部２０まで差し込むとフィルタ１０の通常状態（空気調和機運転時の位置）にセットされる。１２０は上フレーム１１２の左右と中央の上面に貫通して設けた取付孔で、前記背面板２の前面カバー取付片８７先端の突起８８が係止して前面カバー４上部を固定する。また、前面カバー４上部を係止後に前面カバー４下部を下部取付孔（図示せず）で後板３にネジ止め固定する。前フレーム１１４と下フレーム１１３の間には前記吹出口８が形成され吹出口８の左右方向の略中央には前フレーム１１４と下フレーム１１３を垂直に補強する補強フレーム１２１を備え、吹出口８下部の下フレーム１１３には回動自在に取り付けられた前記左右風向板１４を有している。また、吹出口８の側壁には回動自在に前記上下風向板１３を有している。
【００２５】
前記上フレーム１１２の底面で、前記モータユニット４０の当接部５８に対向する部分には上押さえ部１２２（第３固定部）を形成し、モータユニット４０の当接部５８を押圧することで、モータユニット４０は背面板２と後板３と前面カバー４によって挟持して固定し、室内機１へのモータユニット４０の組付け作業を簡単にすることができる。これによって、製造コストを少なくすることができる。
【００２６】
前記エアーフィルタ１０は方形状で多数の縦桟１２４と横桟１２５に、樹脂製の網１２６を溶着して設けられ、両端の縦桟１２４にはフィルタ駆動部２０の駆動歯車３０と噛み合うラック１２７を有している。フィルタ清掃時には駆動歯車３０の回転によりフィルタ１０が駆動歯車３０とブラシ１９の間を通過してフィルタ案内板７４の方向に送られる。また、駆動歯車３０とブラシ１９の間を通過する際にはエアーフィルタ１０の表面に付着したゴミをブラシ１９で除去する。フィルタ掃除手段は前記ラック１２７に係合してフイルタ１０をフィルタ案内板７４側へ送る駆動歯車３０と、駆動歯車３０を回転する送りモータ４２とフイルタ１０の表面に付着したゴミを取り除くブラシ１９と、ブラシ１９を回転するブラシモータ４１と、ブラシ１９に付着したゴミをダストシュータ６３側へ掻き落とすクシ歯部８３で構成される。
【００２７】
前記オープンパネル５は、前面カバ−４の上部左右両端に備えた一対の係止軸（図示せず）に対向して係止部（図示せず）を中心に回動自在に設け、オープンパネル５の下部両端は前面カバ−４の前フレーム１１４に係止して固定される。
【００２８】
前記制御部４３は入力側には運転スイッチ（図示せず）やタイマースイッチ（図示せず）等のスイッチ類を備えた操作部１２８と、室温センサ１２９と、湿度センサ１３０と、熱交センサ１３１や、前記フィルタ案内板７４のフィルタ経路８６（第１空間）に装着され、フィルタ１０の位置を検知するフイルタセンサ１３２等が接続されている。また、制御部４３の出力側には前記送風モータ９３や、熱源機である室外機（図示せず）と接続する室外信号線１３３や、左右に２セット備えたブラシモータ４１、送りモータ４２等が接続されている。フイルタセンサ１３２は押圧式のマイクロスイッチでフィルタ１０の先端の到達を検知する。
【００２９】
室内機１の組立手順について説明する。まず、背面板２の固定用円柱７５にフィルタ案内板７９の固定孔８１で４か所ネジ止めして、背面板２の前方にフィルタ案内板７４を固定する。次に、フィルタ案内板７４の更に前方に後板３を取り付ける。背面板２に立設した取付リブ９７に後板３の取付孔９６を貫通して６か所ネジ止め固定することで後板３が背面板２に固定される。次に、左モータユニット取付部７０に於いて、左モータユニット４０Ｌのモータ取付板４４を背面板２と後板３に形成した台座６７、前台座９８の第１ビード６８、第２ビード６９、第３ビード９９をガイドにて台座６７、前台座９８の上に載せる。同様にして右モータユニット４０Ｒを右モータユニット取付部７２に載せる。
【００３０】
次に、ケーシング９１の前方で左側面９２と右側面９３の間に送風ファン１２が位置するように軸受けや送風モータ９４と共に固定する。次に、前部ドレンパン１０１を送風ファン１２の前方に取り付けた後に、熱交換器１１を前部ドレンパン１０１と後部ドレンパン９０を跨いで取り付ける。また、後板３底面のゴミ排出口１０３に下方からダストボックス１０２を取り付ける。
【００３１】
次に、前面カバー４の背面板２、後板３への組み立て方について説明する。まず、背面板２の左右と中央に備えた前面カバー取付片８７の突起８８を、前面カバ−４の上フレーム１１２に備えた取付孔１２０に係止する。次に、取付孔１２０の係止状態で前面カバー４の全体を回動して前面カバー４を後板３に密着させ、前面カバー４の下部両端に一対備えた取付孔（図示せず）を貫通して後板３の前面カバー取付孔１０４にネジ止め固定する。このとき、上押さえ部１２２（第３固定部）がモータユニット４０の当接部５８を上方からしっかり押圧することで、背面板２の台座６７（第１固定部）や後板３の前台座９８（第２固定部）との間に確実に固定される。また、モータユニット４０は背面板２の第１ビード６８と第２ビード６９や、後板３の第３ビード９９によってモータ取付板４４の左右方向の位置ずれを防止する。
【００３２】
次に、ブラシユニット１５を前面カバー４の前方から左右に備えたスライド突起２４を前面カバー４の溝１１６に沿って後方へスライドさせ案内し、ブラシユニット１５が最後部に突き当たった状態で、ブラシユニット１５の係止突起２５が前面カバー４の係止部１１７に嵌り込み、ブラシユニット１５がセットされる。
【００３３】
次に、エアーフィルタ１０をフィルタ挿入部１１９から挿入する。フィルタ１０の先端はフイルタ溝１１８からユニット枠１８のスライド溝２７を経由してブラシ１９とフィルタ駆動部２０の位置に突き当たってフィルタ１０のセットが完了する。この位置が室内機の通常運転時のフィルタ位置になる。次に、オープンパネル５を前面カバ−４の上フレーム１１２と前フレーム１１４に係止して取り付ければ室内機１の組立が完了する。
【００３４】
フィルタ１０の自動掃除運転の作動について説明する。室内機１が空調運転を行うとフイルタ１０には室内に漂う空気中のゴミが吸込空気に混じって集積する、運転時間が長くなれば集積するゴミが多くなり熱交換器１１の熱交換効率が低下する前にフィルタ１０の掃除が必要になる。制御部４３で運転積算時間やその他掃除のタイミングを決定してフィルタ１０の自動掃除運転を開始する。ブラシモータ４１と送りモータ４２が回転を開始し、各モータの回転力がブラシ歯車２８と駆動歯車３０に伝わり、ブラシ１９とフィルタ駆動部２０か回転を開始する。フィルタ駆動部２０の回転によってフィルタ１０のラック１２７が噛み合い、フィルタ１０が後方のフィルタ経路８６（第１空間）側に徐々に引き込まれる。これと一緒にブラシ１９が回転してフィルタ１０の上面側に集積したゴミを取り除く。ブラシ１９に付着したゴミはフィルタ案内板７４のクシ歯部８３でダストシュータ６３側に掻き落とされて、ダストシュータ６３内を落下しダストボックス１００に集積する。
【００３５】
フィルタ１０の先端がフィルタ経路８６の下端に備えたフィルタセンサ１３２の位置に到達することで、送りモータ４２が逆回転に反転し、フィルタ１０は前面カバー４のフィルタ挿入部１１９側に戻っていく、この時ブラシモータ４１は正回転のまま回転を続けることでブラシ１９やクシ歯部８３のゴミが逆戻りすることはない。このようなフィルタ１０の往復動作（掃除動作）を数回繰り返せば、フィルタ１０の掃除を確実にきれいにできる。そして、次回の自動掃除のタイミングが訪れるまで通常の空調運転を行うことを繰り返す。自動掃除運転の間隔は積算時間だけでなく、単純に時刻や曜日など色々に設定できる。また、操作部１２８やリモコン（図示せず）に手動掃除ボタンを設ければ、使用者だ手動で掃除運転を行うことができる。ダストボックス１０２に溜まったゴミは後板３のゴミ排出口１０３からダストボックス１０２を下方に取り外して行う。
【００３６】
このようにすることで、ゴミ捨て作業は数ヶ月または１年に１回等必要に応じて行われるが、ダストシュータ６３下部に取り除いたゴミを集積し、大きなゴミ溜め空間を確保でき、空気調和機の全体寸法も比較的小さくでき、美観も向上できる。また、大きなゴミ溜め空間を確保することで、ゴミ捨て作業の回数も少なくすることができ、ゴミが充満するすることが原因で発生するゴミの漏出や故障を防止できる。また、フィルタ１０がブラシ１９とフイルタ駆動部２０の間を通過する前後の変形角度も比較的小さいのでフィルタ１０を痛めることも少なくなり、これによってフィルタ１０が切れたり破れたりする故障も少なくすることができる。また、フィルタ案内板７４を背面板２と後板３の間に設けることで、フイルタ経路８６を確実に確保することで自動掃除運転時のフィルタ１０の移動を極めてスムーズに行うことができる。また、モータユニット４０が所定の位置に適確に固定されているので、ブラシモータ４１や送りモータ４２の回転を、ブラシ１９やフイルタ駆動部２０にスムーズに伝達することができる。また、モータユニット４０が所定の位置に適確に固定することで、フィルタ１０の自動掃除運転における故障も少なくすることができる。
【００３７】
このように、モータユニット４０は背面板２と後板３と前面カバー４によって挟持して固定することで、室内機１へのモータユニット４０の組付け作業を容易にすることで、製造コストの上昇を少なくすることができる。また、モータユニット４０を台座６７（第１固定部）と前台座９８（第２固定部）と上押さえ部１２２（第３固定部）で挟持して固定し、前台座９８（第２固定部）の一部を上方に傾斜して設けることで、組み付け作業を更に容易にすることができる。また、モータユニット４０の着脱は傾斜部１００に備えた第３ビード９９に沿って斜め方向に挿入することで、簡単に作業をすることができ、組立作業だけでなくメンテナンス作業で取り外す際にもスムーズに行うことができる。
【符号の説明】
【００３８】
２    背面板
３    後板
４    前面カバー
５    オープンパネル
１０    エアーフィルタ
１１    熱交換器
１２    送風ファン
１５    ブラシユニット
１９    ブラシ
２０    フィルタ駆動部
４０    モータユニット
４４    モータ取付板
６３    ダストシュータ（第２空間）
６７    台座（第１固定部）
６８    第１ビード
６９    第２ビード
７４    フィルタ案内板
８６    フィルタ経路（第１空間）
９８    前台座（第２固定部）
９９    第３ビード
１００    傾斜部
１２２    上押さえ部（第３固定部）
【図１】
2018151107.tif 000003
【図２】
2018151107.tif 000004
【図３】
2018151107.tif 000005
【図４】
2018151107.tif 000006
【図５】
2018151107.tif 000007
【図６】
2018151107.tif 000008
【図７】
2018151107.tif 000009
【図８】
2018151107.tif 000010
【図９】
2018151107.tif 000011
【図１０】
2018151107.tif 000012
【図１１】
2018151107.tif 000013
【図１２】
2018151107.tif 000014
【図１３】
2018151107.tif 000015
【図１４】
2018151107.tif 000016
【図１５】
2018151107.tif 000017
【図１６】
2018151107.tif 000018
【図１７】
2018151107.tif 000019
【図１８】
2018151107.tif 000020
【図１９】
2018151107.tif 000021
【図２０】
2018151107.tif 000022